(57)【要約】 【課題】  天板が不必要に温度上昇することを防止する。【解決手段】  機械室１８内の暖排気の流通空間５３の天井面に張られた天板５０の裏面には、補強部材７０が配される。この補強部材７０内に、補助制御ボックス８０が前面からの着脱可能に装着される。補助制御ボックス８０には、主に圧縮機２６に付属した電気部品Ａが収納される。凝縮器２７等を冷却した後の暖排気は流通空間５３を立ち上るが、補助制御ボックス８０で遮られて、補強部材７０ひいては天板５０に直接に当たることが回避される。また暖排気が滞留し勝ちであった天井部が補助制御ボックス８０で埋められた状態となり、暖排気は補助制御ボックス８０の底面に沿いながら、前面パネル５５の排気口５９に向けてスムーズに流れて排出される。そのため流通空間５３の天板５０が不必要に加熱されることが防止され、食材が置ける等、天板５０の使用範囲が広がる。【選択図】  図７
2005172268.tif 000002
【特許請求の範囲】
【請求項１】
貯蔵庫本体の側方には、蒸発器が収納された蒸発器室と、圧縮機、凝縮器を含む冷凍装置が収納された収納スペースとを上下に配設した機械室が設けられ、この機械室における前記貯蔵庫本体とは反対側の側面パネルと前記蒸発器室の側面との間に、空気の流通空間が形成されるとともに、前記機械室の前面パネルの下部側に吸気口が、上部側の前記流通空間と対応する領域に排気口が形成され、前記吸気口から吸い込まれた外気で前記冷凍装置の前記凝縮器等が冷却され、冷却に供した後の暖排気が前記流通空間に立ち上ったのち前記排気口から外部に排出されるようにした冷却貯蔵庫において、
前記流通空間の天板の裏面に、前記冷凍装置の駆動制御用の電気部品等を収納した制御ボックスが設けられていることを特徴とする冷却貯蔵庫。
【請求項２】
前記天板が前記貯蔵庫本体から前記機械室にわたる一枚板で形成され、この天板における前記流通空間の天井面に突出した端部の裏面には補強部材が配設されており、前記制御ボックスが、前記補強部材に設けられたレールに沿って出し入れ可能に装着されていることを特徴とする請求項１記載の冷却貯蔵庫。
【請求項３】
前記制御ボックスの後部側には、前記レール上に摺動可能に載置される載置部が設けられる一方、前部側には、前記補強部材の前部に対して前方から差し込まれて掛止可能な掛止部が設けられていることを特徴とする請求項２記載の冷却貯蔵庫。
【請求項４】
前記制御ボックスは、上面開放の箱本体に蓋が空間を設けて被着された構造をなし、かつこの蓋と前記天板との間に空間を設けた状態で装着されていることを特徴とする請求項１ないし請求項３のいずれかに記載の冷却貯蔵庫。
【請求項５】
前記制御ボックスは、上面開放の箱本体に蓋が被着された構造であって、この蓋に設けられた前面板が前記箱本体の前面を覆い、かつ前記蓋の前面板の下縁から前方に延出された延出板の延出端に、前記掛止部が形成されていることを特徴とする請求項３または請求項４記載の冷却貯蔵庫。
【請求項６】
前記延出板が斜め上方を向いた傾斜姿勢に形成され、この延出板の下部側に排水開口が形成されていることを特徴とする請求項５記載の冷却貯蔵庫。
【請求項７】
前記制御ボックスは、冷凍装置の仕様等に応じて交換される可能性のある電気部品等を主に収納する補助の制御ボックスとして、主の制御ボックスとは別に備えられていることを特徴とする請求項１ないし請求項６のいずれかに記載の冷却貯蔵庫。
【発明の詳細な説明】
【技術分野】
【０００１】
本発明は、横型の冷却貯蔵庫に関する。
【背景技術】
【０００２】
この種の横型冷蔵庫の一例として、特許文献１に記載されたものが知られている。このものは、図１４に示すように、横長の断熱箱体からなる冷蔵庫本体１を有して内部が冷蔵室とされているとともに、本体１の側方に機械室２が設けられている。機械室２内の上部側には、冷蔵室と連通した断熱性の蒸発器室３が張り出し形成され、庫内ファン４Ｂともども蒸発器４Ａが収納されているとともに、下部側に設けられた収納スペースに、圧縮機、凝縮器５等を含む冷凍装置が収納されている。また、機械室２の側面パネル２Ａと蒸発器室３の側面との間には、空気の流通空間６が形成されているとともに、機械室２の前面パネル７の下部側には吸気口８Ａが、上部側の流通空間６と対応する領域に排気口８Ｂが形成されている。  
そして冷凍装置並びに庫内ファン４Ｂが運転されると、蒸発器４Ａにより生成された冷気が冷蔵室内に循環供給されて冷蔵室内が冷却される。また、冷凍装置とともに凝縮器ファンが駆動され、前面パネル７の吸気口８Ａから吸い込まれた外気で冷凍装置の凝縮器５等が冷却され、冷却に供した後の暖排気が流通空間６に立ち上ったのち排気口８Ｂから前面に排出されるようになっている。
【特許文献１】特開平９−２７３８５６号公報
【発明の開示】
【発明が解決しようとする課題】
【０００３】
一方、この種の横型冷蔵庫は、本体１から機械室２にわたって一枚板からなる天板９が張られており、天板９の上面がテーブルの代わりに使用される場合が多い。  
しかるに従来のものでは、機械室２内で冷凍装置を冷却した後の暖排気を排出する部分において、図１５に示すように、流通空間６を立ち上った暖排気の一部が天板９に当たる可能性がある。その上、天板９の庇９Ａの前縁は下方に屈曲されて形成されている場合が多く、また前面パネル７についても、周縁の強度を確保するための構造上の理由から、排気口８Ｂは上縁よりも少し下がった位置からしか形成できないという事情があって、流通空間６の天井部まで立ち上った暖排気は、スムーズに排気できなくて、むしろ滞留し勝ちとなる。そのため、特に流通空間６の部分に張られた天板９は加熱されて少なからず温度上昇し、食材等が置けない等により使用が制限されるおそれがあった。  
また、冷凍装置の駆動を制御するための各種電気部品は、制御ボックスに収納して機械室２内に設置されることになるが、特に機械室２も含めて小型の冷蔵庫では、その設置スペースの確保も重要な問題となっていた。  
本発明は上記のような事情に基づいて完成されたものである。
【課題を解決するための手段】
【０００４】
上記の目的を達成するための手段として、請求項１の発明は、貯蔵庫本体の側方には、蒸発器が収納された蒸発器室と、圧縮機、凝縮器を含む冷凍装置が収納された収納スペースとを上下に配設した機械室が設けられ、この機械室における前記貯蔵庫本体とは反対側の側面パネルと前記蒸発器室の側面との間に、空気の流通空間が形成されるとともに、前記機械室の前面パネルの下部側に吸気口が、上部側の前記流通空間と対応する領域に排気口が形成され、前記吸気口から吸い込まれた外気で前記冷凍装置の前記凝縮器等が冷却され、冷却に供した後の暖排気が前記流通空間に立ち上ったのち前記排気口から外部に排出されるようにした冷却貯蔵庫において、前記流通空間の天板の裏面に、前記冷凍装置の駆動制御用の電気部品等を収納した制御ボックスが設けられている構成としたところに特徴を有する。
【０００５】
請求項２の発明は、請求項１に記載のものにおいて、前記天板が前記貯蔵庫本体から前記機械室にわたる一枚板で形成され、この天板における前記流通空間の天井面に突出した端部の裏面には補強部材が配設されており、前記制御ボックスが、前記補強部材に設けられたレールに沿って出し入れ可能に装着されているところに特徴を有する。  
請求項３の発明は、請求項２に記載のものにおいて、前記制御ボックスの後部側には、前記レール上に摺動可能に載置される載置部が設けられる一方、前部側には、前記補強部材の前部に対して前方から差し込まれて掛止可能な掛止部が設けられているところに特徴を有する。
【０００６】
請求項４の発明は、請求項１ないし請求項３のいずれかに記載のものにおいて、前記制御ボックスは、上面開放の箱本体に蓋が空間を設けて被着された構造をなし、かつこの蓋と前記天板との間に空間を設けた状態で装着されているところに特徴を有する。  
請求項５の発明は、請求項３または請求項４に記載のものにおいて、前記制御ボックスは、上面開放の箱本体に蓋が被着された構造であって、この蓋に設けられた前面板が前記箱本体の前面を覆い、かつ前記蓋の前面板の下縁から前方に延出された延出板の延出端に、前記掛止部が形成されているところに特徴を有する。
【０００７】
請求項６の発明は、請求項５に記載のものにおいて、前記延出板が斜め上方を向いた傾斜姿勢に形成され、この延出板の下部側に排水開口が形成されているところに特徴を有する。
請求項７の発明は、請求項１ないし請求項６のいずれかに記載のものにおいて、前記制御ボックスは、冷凍装置の仕様等に応じて交換される可能性のある電気部品等を主に収納する補助の制御ボックスとして、主の制御ボックスとは別に備えられているところに特徴を有する。
【発明の効果】
【０００８】
＜請求項１の発明＞
流通空間の天板の裏面に制御ボックスが設けられることで、流通空間を立ち上った暖排気が天板に直接に当たることが回避され、また暖排気が滞留し勝ちであった天井部が制御ボックスで埋められた状態となるから、暖排気が排気口に向けてスムーズに流れて排出される。その結果、流通空間の天板が不必要に加熱されることが防止されて、食材を置くことができる等、天板の使用範囲を広げることができる。  
また、制御ボックスが、流通空間の天井部といった言わばデットスペースを利用して設置されているのであるから、省スペース化に寄与できる。
【０００９】
＜請求項２の発明＞
制御ボックスがレールに沿って出し入れできるようになっているから、収納された電気部品等の交換を行う場合に便利となる。  
一方、天板が貯蔵庫本体から機械室にわたる一枚板で形成されている場合、流通空間に対応する天板の端部は、下に受けるものがないため、補強部材を設けることが多い。そして、制御ボックスを出し入れするためのレールをこの補強部材に設けたから、構造的な変更を最小限に留めて対応することができる。
【００１０】
＜請求項３の発明＞
制御ボックスを取り付ける場合は、後側を上げた斜め姿勢として載置部をレールの手前に載せ、レール上を摺動させて奥へ押し込みつつ前側を持ち上げて水平姿勢とし、掛止部を補強部材の前部に差し込んで掛止する。取り外す場合は、掛止部を抜きつつ制御ボックスを前方に引き出し、最後は前側を下へ傾けつつ載置部をレールから手前に外すようにして抜き取ればよい。  
制御ボックスを安定して支持できる上に、着脱作業を簡単に行うことができる。  
＜請求項４の発明＞
制御ボックスの内部に空間があり、さらに制御ボックスの蓋と天板との間に空間を設けることによって、天板の裏側に二重の断熱層が形成された状態となり、もって暖排気による天板の加熱をより確実に防止することができる。
【００１１】
＜請求項５の発明＞
制御ボックスを流通空間の天板の裏面に装着した場合に、特に制御ボックスの前面側には、天板上に零れた水滴が裏側に回り込んで垂れたり、厨房の床面を水洗いしたときの跳ね返った水が、前面パネルと天板との隙間や排気口を通って降り懸かる可能性がある。一方、制御ボックス側では、電気部品の交換等を行う場合の便宜を考えると、箱本体に蓋を被せる構造とすることが望ましく、また、上記したように制御ボックスを安定して支持しかつ着脱を容易に行うためには、制御ボックスの前部を掛止構造とするのが望ましいという事情がある。  
そこで本発明では、掛止部を設けるに当たり、蓋に対して箱本体の前面を覆う前面板を形成し、この前面板の下縁から前方に延出された延出板の延出端に掛止部を形成した構造とした。端的には、箱本体の前面が蓋の前面板で覆われた構造であるから、水が降り懸かった場合も、前面板で遮られて箱本体すなわち制御ボックス内に浸水することが防がれる。  
＜請求項６の発明＞
天板の裏面から垂れたり、前方から降り懸かった水滴は延出板に滴下する可能性が高く、滴下した水分は、傾斜に倣って流下したのち排出開口から速やかに排出される。制御ボックス内に浸水することがより確実に防がれる。
【００１２】
＜請求項７の発明＞
冷凍装置の仕様が変わった場合、特に圧縮機が変更になると、その付属の電気部品も交換する必要がある。そのため、制御ボックスを標準化できないという事情があった。  
そこで本発明では、冷凍装置の仕様が変わっても交換が不要である電気部品は、別に備えた主の制御ボックスに収納し、流通空間の天井部に設ける制御ボックスは、補助の制御ボックスとして、交換の可能性のある電気部品を主に収納するようにした。  
その結果、主の制御ボックスを標準化でき、冷凍装置の仕様の変更に対しては、補助の制御ボックスのみを選択して対応すればよいから、トータルしてコストの低減に寄与することができる。
【発明を実施するための最良の形態】
【００１３】
以下、本発明の実施形態を添付図面に基づいて説明する。  
＜実施形態１＞
本発明の実施形態１を図１ないし図９によって説明する。この実施形態では、横型（テーブル型）の冷凍冷蔵庫を例示している。  
図１ないし図３において、符号１０は冷凍冷蔵庫の本体であって、前面に開口した横長の断熱箱体により構成され、底面の四隅に設けられた脚１１によって支持されている。本体１０の内部は、後付けされる断熱性の仕切壁１２によって左右に仕切られ、左の相対的に狭い側が冷凍室１４Ａ、右の広い側が冷蔵室１４Ｂとなっている。冷凍室１４Ａの前面の開口には揺動式の断熱扉１５が、冷蔵室１４Ｂの前面の開口には観音開き式の断熱扉１６がそれぞれ装着されている。
【００１４】
本体１０の正面から見た左側部には、機械室１８が設けられている。機械室１８は詳しくは後記するように、前面が開口した箱形に形成されている。  
機械室１８内の上部における奥行き方向の中央部よりも少し手前に寄った位置には、冷凍室１４Ａと連通した断熱性の蒸発器室２０Ａが張り出し形成されているとともに、その下方には、冷凍ユニット４５が出し入れ可能に収納される収納スペース２１が設けられている。また仕切壁１２の冷蔵室１４Ｂ側の面には、ダクト２３を張ることで別の蒸発器室２０Ｂが形成されている。
【００１５】
冷凍回路２５は、図４に示すように、圧縮機２６の出口側に凝縮器ファン２８付きの凝縮器２７が接続され、その下流側に、ドライヤ２９とストレイナ３０とが順次に接続されている。ストレイナ３０の下流側には、電磁弁３１Ａ，３１Ｂと、キャピラリチューブ３２Ａ，３２Ｂと、蒸発器３３Ａ，３３Ｂとを直列接続した冷凍側と冷蔵側との冷媒流通配管３４Ａ，３４Ｂが並列に設けられ、圧縮機２６の入口側に還流接続されている。  
冷凍回路２５の構成部材のうち、冷凍側の蒸発器３３Ａが、冷凍室１４Ａ側の蒸発器室２０Ａ内に庫内ファン３５Ａとともに装備され、冷蔵側の蒸発器３３Ｂが、冷蔵室１４Ｂ側の蒸発器室２０Ｂ内に、同様に庫内ファン３５Ｂとともに装備されている。
【００１６】
一方、圧縮機２６、凝縮器２７、凝縮器ファン２８、ドライヤ２９、ストレイナ３０及び電磁弁３１Ａ，３１Ｂは、図２に一部を示すように、基台３７上に搭載されてユニット化されている。基台３７は、浅皿を伏せたような形状をなし、手前側の端縁には、上面が開口したほぼ溝状に曲げ形成された把手３８が形成されている。  
それに対して機械室１８の収納スペース２１の底面には、上記した基台３７が出し入れ可能に載置される底板４０が張られている。この底板４０は浅皿状に形成され、正面から見た右側板が本体１０の側面の下端部に、左側板が、蒸発器室２０Ａの側面の下縁から垂下状に設けられた前後一対の支持フレーム４２の下端にそれぞれ固定されて支持されている。
【００１７】
冷凍ユニット４５を搭載した基台３７は、収納スペース２１の底板４０上に前方から押し込まれ、把手３８の奥側の側面である当て板３９が、底板４０の手前側の縁部に設けられた取付板４１に突き当たることで押し込みが停止され、当て板３９と取付板４１とがねじ４４を締め付けることで固定されている。  
それとともに、冷凍回路２５を形成するために、両蒸発器３３Ａ，３３Ｂの入口側に接続されて引き出されたキャピラリチューブ３２Ａ，３２Ｂが対応する電磁弁３１Ａ，３１Ｂに接続されるとともに、両蒸発器３３Ａ，３３Ｂの出口側から引き出された冷媒配管の合流配管が、圧縮機２６の入口側に接続されるようになっている。
【００１８】
機械室１８の天面において、上記した蒸発器室２０Ａの前後を埋めるようにしてコーナ板４７が装着され（手前側のコーナ板４７のみを図７に図示）、本体１０側から延出された天板５０が、蒸発器室２０Ａ及び前後のコーナ板４７に重なるようにして張られており、その左側の端部は、蒸発器室２０Ａの左側面よりも支持フレーム４２のほぼ厚さ分突出している。この天板５０は、例えばステンレス鋼板製の一枚板により形成されており、その上面が、食材や、調理具等を載せるテーブルとして使用可能となっている。天板５０の周縁には、下向きに屈曲された側板が形成され、前端の庇５０Ａとなる部分では、角に丸みが付けられている。
【００１９】
機械室１８の背面には、背面パネル（図示せず）が本体１０の背面と面一に張られている。機械室１８の側面には、側面パネル５２（図３）が、支持フレーム４２に当てられつつ、底板４０と天板５０の左端にわたって張られている。これにより上記したように、前面開放の箱形をなす機械室１８が形成されている。それとともに、側面パネル５２と蒸発器室２０Ａとの間に、後記する暖排気を流通させる流通空間５３が形成されている。
【００２０】
機械室１８の前面の開口には、前面パネル５５が装着されている。この前面パネル５５は、周縁に側板を設けた縦長の浅皿状をなし、正面から見た右側縁で、蝶番５６によって揺動開閉可能に支持されている。  
前面パネル５５の下部側には、凝縮器２７等を冷却すべく外気の吸気口５７が形成され、吸気口５７の前面にはエアフィルタ５８が装着されている。前面パネル５５の上部における正面から見た左側縁側、すなわち上記した流通空間５３の前方に対応する位置には、排気口５９が開口されている。
【００２１】
さらに、前面パネル５５における上部の右側領域の裏面側には、主制御ボックス６０が取り付けられている。この主制御ボックス６０内には、冷凍ユニット４５等の駆動を制御するための、リレー、トランス、ブレーカ等の各種電気部品や、マイクロコンピュータ等が格納されている。主制御ボックス６０の前面には、庫内温度等を表示する表示部６１や、設定温度を入力するための操作盤等が設けられ、主制御ボックス６０の前面は、前面パネル５５に開口された窓孔６２に臨んでいる。
【００２２】
さてこの実施形態では、機械室１８における流通空間５３の天井部分の構造に改良が加えられており、以下それについて説明する。  
天板５０における流通空間５３の上方に突出した左端部は、下に受けるものがないことから、補強のために下面に補強部材７０が配されている。  
この補強部材７０は、図５に示すように、亜鉛鋼板等の金属板をプレス成形することによって、細長い下面開放の箱形に形成されている。この補強部材７０が開口を下に向けた姿勢において、流通空間５３の天板５０の裏面に当てられ、図７に示すように、正面から見た右側面を蒸発器室２０Ａの側面等にねじ７１で止めされて固定されている。補強部材７０の後面板７２は、天板５０の後側の側板に当てられ、前面板７３は、天板５０の庇５０Ａの奥に留まっている。また補強部材７０の左側面には、側面パネル５２の上縁がねじ止めされる。
【００２３】
この補強部材７０の内部には、補助制御ボックス８０が装着されるようになっている。この補助制御ボックス８０は、箱本体８１と蓋８２とから構成され、ともに同じく亜鉛鋼板等の金属板をプレス成形並びにスポット溶接することによって形成されている。  
箱本体８１は、上記した補強部材７０と同幅で、補強部材７０の半分強の長さを持った、上面開放の細長い箱形に形成されている。この箱本体８１では、下面の前端側の角部に、前方に向けて緩やかな上り勾配となったガイド面８３が形成されているとともに、底面の奥端に寄った位置に、電線等の引出口８４が開口されている。  
一方の蓋８２は、箱本体８１内に緊密に嵌合可能な幅で、箱本体８１よりも短い長さを持った、下面開放の箱形に形成されている。蓋８２側では、上面の前端側の角に斜めの逃がし面８５が形成されている。蓋８２の前面板と後面板とは、その下縁が下方に延ばされて脚片８６が形成され、脚片８６の下縁に外向きに屈曲された取付板８７が形成されている。
【００２４】
蓋８２は、箱本体８１の長さ方向のほぼ中央部において上方から嵌められて、前後の脚片８６が、ガイド面８３の裏の付け根部分と、引出口８４よりも少し奥の底面に当てられ、取付板８７をそれぞれねじ８８で止めることによって固定される。これにより、図６に示すように、箱本体８１の長さ方向の中央部に、蓋８２が被せられた状態の補助制御ボックス８０が形成される。なおこのとき、図７に示すように、蓋８２は、箱本体８１の底面から浮いて、上部側が箱本体８１の上縁の上方に突出する。ただし、その突出高さは、補強部材７０の高さ（深さ）よりも小さい。  
この補助制御ボックス８０内には、同図の鎖線に示すように、主に圧縮機２６の付属品としてのコンデンサや、起動用リレー等の電気部品Ａが収納されるようになっている。それらのリード線は、引出口８４から外部に引き出される。
【００２５】
補助制御ボックス８０を補強部材７０内に取り付けるための構造として、補強部材７０における長さ方向の中央部から少し奥側に寄った位置には、図５及び図８に示すように、左右の側板７０Ａの下縁から突出した部分を内方に直角曲げすることで、所定長さを持った左右一対のレール７４が形成されている。これに対して、補助制御ボックス８０側では、後面板９０の上縁に若干幅狭となって後方に直角曲げされた載置板９１が形成され、その屈曲部分の両側縁が切り込まれて、上記したレール７４が挿入可能なガイド溝９２が形成されている。
【００２６】
また、補強部材７０の前面板７３の下縁が若干幅狭とされて突出され、その突出部７５の付け根部分、すなわち補強部材７０の側板７０Ａの下縁と対応した位置に、横向きの差込溝７６が形成されている。突出部７５にはねじ孔７７が切られている。これに対して、補助制御ボックス８０側では、箱本体８１の短寸の前面板９３の上縁から突出された部分が内方に直角曲げされることで、差込溝７６に差し込み可能な差込片９４が形成されている。また、前面板９３には、ねじ９５の挿通孔９６が開口されている。  
なお、補強部材７０における前面板７３の上部には逃がし孔７８が開口され、図７に示すように、補強部材７０内の暖排気を、逃がし孔７８、さらにはコーナ板４７のスリット４７Ａを通して、天板５０の庇５０Ａの下から外部に逃がすことができるようになっている。
【００２７】
補助制御ボックス８０を取り付けるに当たっては、図９に示すように、補助制御ボックス８０の後側を上げた斜め姿勢として載置板９１を両レール７４の手前の端部にわたって載せ、続いて、箱本体８１の上縁が補強部材７０の下縁に当たるまで補助制御ボックス８０の前側を持ち上げて水平姿勢とし、奥へ押し込む。補助制御ボックス８０は、レール７４をガイド溝９２に通しつつ載置板９１がレール７４上を摺動して押し込まれる。終盤に至ると、補助制御ボックス８０の前端側の差込片９４が補強部材７０の差込溝７６に差し込まれ、前面板９３が突出部７５に当たることで押し込みが停止される。そののち、挿通孔９６に通したねじ９５をねじ孔７７に螺合して締め付けることで、図７に示すように、補助制御ボックス８０が取り付けられる。
【００２８】
補助制御ボックス８０が取り付けられた状態では、箱本体８１の部分が補強部材７０の下方に突出した状態となり、補助制御ボックス８０の前端下面のガイド面８３の上縁が、前面パネル５５に開口された排気口５９の上縁とほぼ同じ高さＨに来る設定となっている。  
また、補強部材７０内に嵌められた補助制御ボックス８０の蓋８２の上面と、補強部材７０の上面との間には空間９７ができ、補助制御ボックス８０の箱本体８１と蓋８２との間にできた空間９８と合わせて、補助制御ボックス８０の下面と、天板５０との間には、二重の断熱層が設けられた構造となる。
【００２９】
続いて、本実施形態の作用を説明する。  
冷却運転中では、冷凍室１４Ａと冷蔵室１４Ｂにおいて、それぞれ庫内サーミスタ（図示せず）で庫内温度が検知され、庫内温度が個別に設定された設定温度よりも高くなると、対応する電磁弁３１Ａ，３１Ｂが開放されて蒸発器３３Ａ，３３Ｂへ冷媒が供給されるとともに庫内ファン３５Ａ，３５Ｂが駆動されることで庫内が冷却され、一方庫内温度が設定温度よりも低くなると、電磁弁３１Ａ，３１Ｂが閉じて冷媒の供給が停止するとともに庫内ファン３５Ａ，３５Ｂが停止することで冷却動作が停止され、その繰り返しによって、各室１４Ａ，１４Ｂ内がほぼ設定温度に維持される。なお、冷凍側と冷蔵側の電磁弁３１Ａ，３１Ｂのいずれか一方が開くと冷凍ユニット４５（圧縮機２６）は駆動され、両電磁弁３１Ａ，３１Ｂが閉じると冷凍ユニット４５が停止する。
【００３０】
ここで、冷凍ユニット４５（圧縮機２６）が駆動される間、併せて凝縮器ファン２８が駆動され、それに伴い、機械室１８の前面パネル５５の吸気口５７から外気が取り込まれて収納スペース２１に流通し、そこに収容された凝縮器２７、圧縮機２６等が冷却される。この冷却に供した後の暖排気は、流通空間５３に立ち上ったのち、図７の矢線に示すように、前方に向きを変えて流れつつ、前面パネル５５の排気口５９から機外前方に排出される。  
また、メンテナンス等において、補助制御ボックス８０を庫外に取り出す必要がある場合には、機械室１８の前面パネル５５を開放したのち、上記の取付時と反対に、ねじ９５を緩めて固定を解除したのち、補助制御ボックス８０を前方に引き出し、最後は前端側を下へ傾けつつ、載置板９１をレール７４から外すようにして抜き取ればよい。このとき、補助制御ボックス８０に蓋８２における前端角部に逃がし面８５が形成されているから、補強部材７０における前面板７３の突出部７５に引っ掛かることが避けられる。
【００３１】
本実施形態では以下のような数々の利点を得ることができる。  
冷凍ユニット４５の仕様が変わった場合、特に圧縮機２６が変更になると、その付属の電気部品Ａも交換する必要があり、そのため従来では、電気部品等を収納する制御ボックスを標準化できないという事情があった。  
そこでこの実施形態では、冷凍ユニット４５の仕様が変わっても交換が不要である電気部品については、主制御ボックス６０に収納してこれを機械室１８の前面パネル５５の裏面に設ける一方、交換の可能性のある電気部品Ａについては、補助制御ボックス８０に収納し、補助制御ボックス８０自体は、流通空間５３の天板５０の裏面に設けられた補強部材７０内に装着するようにした。  
その結果、主制御ボックス６０が標準化でき、冷凍ユニット４５の仕様の変更に対しては、補助制御ボックス８０のみを変更すればよいから、トータルしてコスト低減に寄与することができる。また、補助制御ボックス８０を装着するに当たり、補強部材７０内といった言わばデットスペースを利用しているから、省スペース化に寄与できる。
【００３２】
上記のように、補強部材７０内に補助制御ボックス８０が嵌められた構造であるから、流通空間５３を最上部まで立ち上った暖排気も、補助制御ボックス８０で遮られて、補強部材７０ひいては天板５０に直接に当たることが回避される。しかも、補助制御ボックス８０の内部に空間９８があり、さらに補助制御ボックス８０の蓋８２と補強部材７０との間に空間９７が設けられて、天板５０の裏側に二重の断熱層が形成された状態となるから、暖排気による天板５０の加熱が有効に防止される。
【００３３】
また、暖排気が滞留し勝ちであった補強部材７０の内部が補助制御ボックス８０で埋められた状態となり、暖排気は補助制御ボックス８０の底面に沿うようにして、排気口５９に向けて途中で滞留することなくスムーズに流れ、排出される。ここで、補助制御ボックス８０は、内部に電気部品Ａ等の収納スペース２１を確保するために相応の大きさが必要であり、また、断熱層を形成すべく補強部材７０の上面との間に空間９７を設けて取り付ける関係上、補助制御ボックス８０の底面が補強部材７０の下方に突出し、前面パネル５５の排気口５９の上縁よりも下方に位置することになるが、補助制御ボックス８０の底面の前端角部には、上り勾配のガイド面８３が形成されて、排気口５９の上縁を指向した構造となっているから、補助制御ボックス８０の底面に沿って流れた暖排気は、排気口５９の全域を有効に利用して排出される。
【００３４】
以上のことにより、天板５０における流通空間５３の天面に対応する部分が不必要に加熱されることが防止され、食材を置くことができる等、天板５０の使用範囲を広げることができる。併せて天板５０に隣接する部材への熱的な悪影響も低減できる。  
また、暖排気の排出効率が向上することは、外気を吸引して凝縮器２７を冷却する機能、言い換えると凝縮器２７の凝縮機能を高めることができ、ひいては冷凍装置の冷却能力を向上させることができる。
【００３５】
補助制御ボックス８０は、レール７４に沿って前面から出し入れできるようになっているから、メンテナンス等で補助制御ボックス８０の取り外しが必要な場合に便利となる。
一方、天板５０が本体１０から機械室１８にわたる一枚板で形成されている場合、流通空間５３に対応する天板５０の端部は、下に受けるものがないことから、補強部材７０が設けられるのであるが、上記した補助制御ボックス８０を出し入れするためのレール７４が、補強部材７０の側板７０Ａの下縁を曲げることで一体に形成されているから、構造的な変更を最小限に留めて対応することができる。
【００３６】
＜実施形態２＞
本発明の実施形態２を図１０ないし図１３によって説明する。この実施形態２では、補助制御ボックス１００の形状に変更が加えられている。以下には、変更部分について主に説明し、実施形態１の補助制御ボックス８０と同一機能を有する部位については同一符号を付すことで、説明を簡略化または省略する。  
実施形態２の補助制御ボックス１００も、図１０に示すように、ともに亜鉛鋼板等の金属板をプレス成形並びにスポット溶接することで形成された箱本体１０１と蓋１０２とから構成されている。
【００３７】
箱本体１０１は、基本的には上面開放の細長い箱形に形成されているが、前面側では、左右両側縁に内向きのフランジ１０４が折り曲げ形成され、また下縁からは、取付板１０５が下向きに折り曲げられて形成された形状に変更されている。  
一方の蓋１０２は、箱本体１０１よりも少し短い長さを持った下面開放の箱形に形成されているが、蓋１０２側でも前端側の形状が変更されている。すなわち蓋１０２における上面の前端側の角に形成された逃がし面８５の下縁から、前面板１１０が垂下状に形成されている。この前面板１１０は、後記するように箱本体１０１に蓋１０２が被せられた場合に、箱本体１０１の前面を覆うように機能し、前面板１１０の下縁は、箱本体１０１の底面を越えて取付板１０５の下縁に達している。
【００３８】
蓋１０２の前面板１１０の下縁からは、前方に向けて緩やかな上り勾配となったガイド面１１１が形成されており、このガイド面１１１の上縁に、背の低い立ち上がり板１１２が形成され、その上縁の幅方向の中央部が内方に直角曲げされることで、既述した補強部材７０の前面板７３の差込溝７６（図５参照）に差し込み可能な差込片１１３が形成されている。  
ガイド面１１１の左右の側縁には側板１１５が立ち上がり形成されているとともに、両側板１１５の下端と前面板１１０との間に排水切欠１１６が形成されている。またガイド面１１１の幅方向の中央部の下端部には、排水口１１７が形成されている。  
さらに、蓋１０２の両側面の下端部が、外側に段差状に広げられ、この拡幅部１２２が、箱本体１０１の左右の側面における上端部の外側に嵌められるようになっている。  
なお、箱本体１０１の底面におけるリード線の引出口８４の後方には、左右両側縁に排水切欠１０７が、そのさらに後方に排水口１０８がそれぞれ形成されている。
【００３９】
蓋１０２は、箱本体１０１の長さ方向の前端寄りの位置において、左右の側面の拡幅部１２２を、箱本体１０１の左右の側面の外側に被せつつ上方から嵌められ、後方側では、脚片８６が箱本体１０１の底面における引出口８４よりも少し奥の位置に当てられ、取付板８７をねじ８８で止めることによって固定される。一方、前方側では、蓋１０２の前面板１１０が、箱本体１０１の前面の両フランジ１０４から取付板１０５にわたって当てられ、前面板１１０の下端部の挿通孔１２０から通したねじ１２１を、箱本体１０１の取付板１０５のねじ孔１０６に螺合して締め付けることで固定される。  
これにより、図１１に示すように、箱本体１０１の長さ方向の前端寄りの位置に、蓋１０２が被せられた状態の補助制御ボックス１００が形成される。
【００４０】
このように組み付けられた補助制御ボックス１００を補強部材７０内に装着するに当たっては、上記実施形態１で説明したと同様に、補助制御ボックス１００の後側を上げた斜め姿勢として載置板９１を両レール７４の手前の端部にわたって載せ、続いて補助制御ボックス１００を水平姿勢としながら、載置板９１をレール７４上に滑らせて押し込む。終盤に至ると、図１２に示すように、蓋１０２のガイド面１１１の延出端に設けられた差込片１１３が補強部材７０の差込溝７６に差し込まれ、立ち上がり板１１２が突出部７５に当たることで押し込みが停止される。そののち、挿通孔１１８に通したねじ９５をねじ孔７７に螺合して締め付けることで、補助制御ボックス１００が取り付けられる。  
補助制御ボックス１００を庫外に取り出す場合は、機械室１８の前面パネル５５を開放したのち、上記の取付時と反対に、ねじ９５を緩めて固定を解除したのち、補助制御ボックス１００を前方に引き出し、最後は前端側を下へ傾けつつ、載置板９１をレール７４から外すようにして抜き取ればよい。
【００４１】
この実施形態２の補助制御ボックス１００を用いた場合は、実施形態１に加えて、さらに以下のような作用効果を得ることができる。  
補助制御ボックス１００を流通空間５３の天井部に装着した場合に、特に補助制御ボックス１００の前面側には、天板５０上に零れた水滴が裏側に回り込んで垂れたり、厨房の床面を水洗いしたときの跳ね返った水が、前面パネル５５と天板５０との隙間や排気口５９を通って降り懸かる可能性がある。
【００４２】
本実施形態では、このような水滴の浸入があった場合、蓋１０２に設けられたガイド面１１１上に滴下してその傾斜に倣って流下したのち排水口１１７や排水切欠１１６から排出され、あるいは、蓋１０２の上面に滴下したのち、逃がし面８５や前面板１１０を伝い、同じく排水口１１７や排水切欠１１６から排水される。端的には、箱本体１０１の前面が、蓋１０２から垂下された前面板１１０によって底面よりも下の位置まで覆われ、しかもガイド面１１１の下端側には排水切欠１１６や排水口１１７があって水が溜まることがなく、さらは、箱本体１０１の前面の左右の側縁でも、フランジ１０４に前面板１１０が面当たりして閉じられているから、箱本体１０１、すなわち補助制御ボックス１００内に前面側から水分が浸入することが防止される。  
なお、蓋１０２の上面に滴下した水分が側面側に流下したとしても、蓋１０２の側面の拡幅部１２２が箱本体１０１の側面に被さった構造であるから、箱本体１０１内に水分が浸入することはない。  
また、箱本体１０１の開口した後部側に水滴が降り懸かったとしても、排水切欠１０７や排水口１０８から直ちに排出され、箱本体１０１内に浸入することが極力防止される。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）冷凍回路としては、上記実施形態に例示した圧縮機１台に２個の蒸発器を備えたものに限らず、圧縮機１台に１個の蒸発器を備えたもの、逆に複数個の蒸発器を備えたものであってもよい。  
（２）本発明は、蒸発器も冷凍ユニットと併せて出し入れする形式のものにも、同様に適用できる。  
（３）逆に冷凍ユニットが引き出し形式ではなくて、機械室の底面側に据え置く形式のものであってもよい。  
（４）制御ボックスとして、補強部材内に装着する制御ボックスのみを設けるようにしてもよく、そのようなものも本発明の技術的範囲に含まれる。
【図面の簡単な説明】
【００４４】
【図１】本発明の実施形態１に係る冷凍冷蔵庫の外観斜視図
【図２】機械室内の構造を示す斜視図
【図３】正面から見た断面図
【図４】冷凍回路の回路図
【図５】補強部材と補助制御ボックスを分解した斜視図
【図６】補助制御ボックスの斜視図
【図７】機械室の天井部分の断面図
【図８】図７のＸ−Ｘ線における天板を除去した拡大断面図
【図９】補助制御ボックスの着脱動作を説明する断面図
【図１０】実施形態２に係る補助制御ボックスの分解斜視図
【図１１】補助制御ボックスの斜視図
【図１２】補助制御ボックスの前端側の取付構造を示す部分断面図
【図１３】その後端側の取付構造を示す部分断面図
【図１４】従来例の正面図
【図１５】その暖排気の流通動作を示す断面図
【符号の説明】
【００４５】
１０…本体  １８…機械室  ２０Ａ…蒸発器室  ２１…収納スペース  ２６…圧縮機  ２７…凝縮器  ４５…冷凍ユニット（冷凍装置）  ５０…天板  ５２…側面パネル  ５３…流通空間  ５５…前面パネル  ５７…吸気口  ５９…排気口  ６０…主制御ボックス  ７０…補強部材  ７４…レール  ７６…差込溝  ８０…補助制御ボックス（制御ボックス）  ８１…箱本体  ８２…蓋  ９１…載置板（載置部）  ９２…ガイド溝  ９４…差込片（掛止部）  ９７，９８…空間  Ａ…電気部品  １００…補助制御ボックス（制御ボックス）  １０１…箱本体  １０２…蓋  １１０…前面板  １１１…ガイド面（延出板）  １１３…差込片（掛止部）  １１６…排水切欠  １１７…排水口
【図１】
2005172268.tif 000003
【図２】
2005172268.tif 000004
【図３】
2005172268.tif 000005
【図４】
2005172268.tif 000006
【図５】
2005172268.tif 000007
【図６】
2005172268.tif 000008
【図７】
2005172268.tif 000009
【図８】
2005172268.tif 000010
【図９】
2005172268.tif 000011
【図１０】
2005172268.tif 000012
【図１１】
2005172268.tif 000013
【図１２】
2005172268.tif 000014
【図１３】
2005172268.tif 000015
【図１４】
2005172268.tif 000016
【図１５】
2005172268.tif 000017